(57)【要約】【課題】  いわゆるオートボトム型カートンの底部構造に改竄防止機能を付加したカートンを提供する。【解決手段】  一枚のブランクから構成され、折線を用いて四角形筒状の周壁を構成する前板、後板、両側板と、前記周壁を構成する前板、後板、両側板のいずれかの上端から折線を介して延設され閉塞する天部を形成する上端閉塞板と、前記前板及び後板の下端延長上にそれぞれ折線及び斜め折線を介して底板及び貼着板が連設され、前記両側板の下端延長上にそれぞれ折線を介して重合貼着板が設けられ、該重合貼着板を隣り合う前記貼着板に糊着して閉塞する底部を形成するカートンにおいて、前記それぞれの貼着板の糊着部分周縁部に沿って切刃により形成された破断線が穿設されていることを特徴とする改竄防止カートン。【選択図】        図２
2007045447.tif 000002
【特許請求の範囲】
【請求項１】
一枚のブランクから構成され、折線を用いて四角形筒状の周壁を構成する前板、後板、両側板と、前記周壁を構成する前板、後板、両側板のいずれかの上端から折線を介して延設され閉塞する天部を形成する上端閉塞板と、前記前板及び後板の下端延長上にそれぞれ折線及び斜め折線を介して底板及び貼着板が連設され、前記両側板の下端延長上にそれぞれ折線を介して重合底面板が設けられ、該重合底面板を隣り合う前記貼着板に糊着して閉塞する底部を形成するカートンにおいて、前記それぞれの貼着板の糊着領域周縁部に沿って切刃により形成された破断線が穿設されていることを特徴とする改竄防止カートン。
【請求項２】
前記貼着板に穿設される破断線が、前記糊着領域から少なくとも５ｍｍ以内の周縁部に穿設されることを特徴とする請求項１記載の改竄防止カートン。
【発明の詳細な説明】
【技術分野】
【０００１】
本発明は、紙製カートンのうち、いわゆるオートボトム型カートンの底部構造に改竄防止機能を付加したカートンに関するものである。
【背景技術】
【０００２】
従来、商品を収容し、搬送し、陳列し、販売する包装用容器のうち紙製カートンでは、流通及び市場での異物混入や、悪戯或いは改竄防止の方法として、開放端部を構成単位それぞれの糊着により閉塞する方法が使用されてきた。又、前記閉塞面を横断して脆弱なラベルや剥離が確認できるラベルで封止したり、カートン全体を熱収縮性フィルムいわゆるシュリンクフィルムで外包するなどの付加的包装も使用されてきた。紙製カートン単体での改竄防止の方法として、糊着した端部の形成片の糊着部分近傍或いは周縁部に破断線を設け、開封の形跡が残るようにしたものが提案されている。しかしながら、このような構造は、いわゆる個装箱や小型のカートンに関するもので、筒状カートンの両端部の延長上に延設される蓋板と重合蓋板、或いは蓋板と折込片などの組み合わせの蓋板に施されたものである。これに対し、個装箱や小型カートンの集積箱或いは医療用品のケース等に見られるオートボトム型カートンの底部には、悪戯或いは改竄防止の方法が講じられていなかった（例えば、特許文献１参照）。
【特許文献１】特開２００１−７２０４１号公報
【０００３】
前述のように、いわゆるオートボトム型のカートンは、折り込まれ予め糊着された底部構成片が、筒状胴部の起函操作によって、自動的に底部を形成するもので、通常、印刷工程の延長上で、折り畳み貼り合せ作業が行われるため、前述の個装箱や小型カートンのように、メーカーへ移送され、商品充填後に糊着作業が行われるカートンと異なり、当初から底部は閉じたものとして取り扱われ、悪戯或いは改竄防止の構造が施されなかった。又、個装箱や小型のカートンが菓子や食品といった商品の直接容器として取り扱われるのに対し、オートボトム型のカートンはその集積容器或いは外包容器として取り扱われ、従来、特に底部に対する悪戯或いは改竄防止の要請が低かったが、近年、例えば前述のように、医療用品のカートンとしては、直接容器として、悪戯或いは改竄防止の要請が高い。
【発明の開示】
【発明が解決しようとする課題】
【０００４】
本発明の目的は、上記問題を解決するためになしたものであって、紙製カートンのうち、いわゆるオートボトム型カートンの底部構造に改竄防止機能を付加したカートンを提供することにある。
【課題を解決するための手段】
【０００５】
上記課題を解決するため、一枚のブランクから構成され、折線を用いて四角形筒状の周壁を構成する前板、後板、両側板と、前記周壁を構成する前板、後板、両側板のいずれかの上端から折線を介して延設され閉塞する天部を形成する上端閉塞板と、前記前板及び後板の下端延長上にそれぞれ折線及び斜め折線を介して底板及び貼着板が連設され、前記両側板の下端延長上にそれぞれ折線を介して重合底面板が設けられ、該重合底面板を隣り合う前記貼着板に糊着して閉塞する底部を形成するカートンにおいて、前記それぞれの貼着板の糊着領域周縁部に沿って切刃により形成された破断線が穿設されていることを特徴とする改竄防止カートンである。
【０００６】
請求項２の発明は、前記貼着板に穿設される破断線が、前記糊着領域から少なくとも５ｍｍ以内の周縁部に穿設されることを特徴とする請求項１記載の改竄防止カートンである。
【発明の効果】
【０００７】
本発明の紙製箱体は、いわゆるオートボトム型カートンの底部構造すなわち前板及び後板の下端延長上にそれぞれ折線及び斜め折線を介して底板及び貼着板が連設され、両側板の下端延長上にそれぞれ折線を介して重合底面板が設けられ、該重合底面板を隣り合う前記貼着板に糊着して閉塞する底部構造において、前記それぞれの貼着板の糊着領域周縁部に沿って切刃により形成された破断線を穿設したので、前記貼着板の剥離など無用な開封操作は、前記破断線が切り離されることによる開封の形跡を残すことになり、一般消費者でも、そのカートンの使用前開封という異常状態を知ることができ、遡って悪戯或いは改竄防止の抑止効果を得ることが出来る。
【０００８】
貼着板に穿設される破断線が、糊着領域から少なくとも５ｍｍ以内の周縁部に穿設されることによって、悪戯或いは改竄の意図をもって引き剥がしが行われても、破断線の破断が発生し、破断線の破断を伴わない意図的な剥離を防止することが出来る。
【発明を実施するための最良の形態】
【０００９】
上記本発明につき、図面等を用いて以下に詳述する。図１は本発明に係る実施例の展開平面図。図２は同じく実施例の組立完了状態を底面板側から見た説明用部分斜視図。図３は同じく実施例の貼着板近傍部分説明用拡大図である。
【００１０】
図１は本発明に係る実施例の展開平面図で、板紙などを打抜き加工して、偏平な四角筒状胴部を形成する貼着板５及びそれぞれ矩形状の背面板１、側面板２、正面板３、側面板４がそれぞれ折線Ｌ１、Ｌ２、Ｌ３、Ｌ４を介して順設され、前記正面板３の上端延長上に折線Ｌ５、Ｌ６を介して天面板６、差込７が連設され、前記側面板２及び４の上端に折線Ｌ７及びＬ８を介してそれぞれ耳片８及び９が設けられ、前記背面板１及び正面板３の下端にそれぞれ折線Ｌ９、斜め折線Ｌ１３及び折線Ｌ１１、斜め折線ＬＬ１４を介して底板１０、貼着板１４及び底面板１１、貼着板１５が連設され、前記側面板２及び４の下端に折線Ｌ１０及び折線Ｌ１２を介してそれぞれ重合底面板１２及び１３が延設されてブランクＡが構成され、前記貼着板１４及び１５の糊着領域の周縁部にそれぞれ破断線Ｌ１５及びＬ１６を穿設して破断部１６及び１７を形成している。
【００１１】
実施例の組立にあたっては、前項記載のブランクＡを、折線Ｌ９及びＬ１１を用いてそれぞれ底面板１０及び１１を折り畳みつつ斜め折線Ｌ１３及びＬ１４を用いて貼着板１４及び１５を折り返し、折線Ｌ１０及びＬ１２を用いて重合底面板１２及び１３を折り畳み、次いで折線Ｌ２、Ｌ４を用いて折り曲げ側面板４と貼着板５とを貼着接合するとともに、前記貼着板１４及び１５の糊着予定部分すなわち破断部１６及び１７でそれぞれ隣り合う前記重合底面板１２及び１３に貼着して折り畳み貼り合せを完了する。次いでこの貼り合せ状態から、折線Ｌ１、Ｌ２、Ｌ３、Ｌ４を用いて四角形筒状に周壁を形成するよう立ち起こすと、貼着された底部構成部分すなわち底面板１０、貼着板１４、重合底面板１２及び底板１１、貼着板１５、重合底面板１３がそれぞれ起動して底部を形成するとともに、前記底面板１０及び１１のそれぞれ中央部に設けられた係止部同士が係合して起函を完了する。通常、四角筒状胴部の上端開口部から内容物を充填収納し、耳片８及び９を折り曲げた後、天面板６を折り曲げるとともに差込７を背面板１の上端内側に差し込んで組立を完了する。
【００１２】
図２は同じく実施例の組立完了状態を底面板側から見た説明用部分斜視図で、悪戯或いは改竄の意図を持って底面板側の開放を図る場合、貼着部すなわち破断部１６及び１７の剥離を図るため、貼着板１４及び１５の端部からの引き剥がしを行うと、破断線Ｌ１５及びＬ１６の切断線部分から破断が開始し、短い刃止め部すなわち切断線が止められている部分へ破断が進行して、その形跡が底面部表面に残ることとなる。
【００１３】
図３は同じく実施例の貼着板近傍部分説明用拡大図で、前項で述べた貼着板１４近傍の拡大図であって、破断部１６の内側に示した点線によるハッチング部分は糊着領域を表しており、貼着板１５においても同様である。前記糊着領域と破断線Ｌ１５との間の間隙Ｗは、出来る限り近接することが前述した貼着板１４及び１５の端部からの引き剥がしによって破断線Ｌ１５及びＬ１６の切断線部分からの破断開始に望ましい。しかしながら貼着の精度や接着剤の圧延等に係る余白部を必要とすることから、糊着領域の周縁それぞれに３〜５ｍｍとすることが望ましい。又、破断線Ｌ１５の切断線部分の長さは、カートンの大きさ等による貼着板のサイズ及び糊着領域のサイズ変化により、それぞれ設計が必要であるが、刃止め部すなわち切断線が止められている部分は、悪戯或いは改竄の意図を持って引き剥がしを行われた場合に破断を発生させる寸法として、少なくとも４ｍｍ以下の寸法とすることが望ましい。
【図面の簡単な説明】
【００１４】
【図１】本発明に係る実施例の展開平面図。
【図２】同じく実施例の組立完了状態を底面板側から見た説明用部分斜視図。
【図３】同じく実施例の貼着板近傍部分説明用拡大図。
【符号の説明】
【００１５】
Ａ            ブランク
１            背面板
２            側面板
３            正面板
４            側面板
５            貼着板
６            天面板
７            差込
８、９        耳片
１０、１１      底面板
１２、１３      重合底面板
１４、１５      貼着板
１５            重合指掛部
１６、１７      破断部
Ｌ１〜Ｌ１２    折線
Ｌ１３、Ｌ１４    斜め折線
Ｌ１５、Ｌ１６    破断線
【図１】
2007045447.tif 000003
【図２】
2007045447.tif 000004
【図３】
2007045447.tif 000005